(57)【要約】【課題】  片側に設けた回転軸を中心として回転することで開閉するドアであって、その重量が軽くても開閉操作時に重量感を得ることが出来る開閉ドアの提供。【解決手段】  回転軸から離れた戸先側に収容空間５を設け、該収容空間５には上下端に受け材４，４を取付けたスチール棒３を収容してドア１の重心を戸先側へ移動させ、回転軸を中心に回転する際の慣性モーメントを増大している。【選択図】    図４
2005133463.tif 000002
【特許請求の範囲】
【請求項１】
片側に設けた回転軸を中心として回転することで開閉するドアにおいて、上記回転軸から離れた戸先側に重りを取付けてドアの重心を戸先側へ移動させたことを特徴とする開閉ドア。
【請求項２】
互いに折畳み出来るように連結した親ドアと子ドアからなる折戸において、親ドアを吊設して上レールに沿って移動する吊車を中心とした回転軸から離れた位置に重りを取付けたことを特徴とする折戸式ドア。
【請求項３】
旋回するコ型枠体の上下アームに取付けられて、スライダー又は吊車を中心として回転しながら上レールに沿って移動して開閉する回転スライド式ドアにおいて、上記スライダー又は吊車を中心とした回転軸から離れた所に重りを取付けたことを特徴とする回転スライド式ドア。
【発明の詳細な説明】
【技術分野】
【０００１】
本発明は開閉するドアであって、回転軸から離れた所に重りを取付けて慣性モーメントの増大を図ったドアに関するものである。
【背景技術】
【０００２】
ドアは蝶番などの継手を介して開閉することが出来、玄関や部屋の出入り口、トイレの出入り口などに装着される。該ドアは一般的に手動で開閉操作が行われるが、時には半自動式とし、手で開いたドアが自動的に閉じることが出来るように構成したものもある。そして、半自動式ドアの構成は色々あるが、ヒンジに円筒カムを設けてドアの自重を利用して閉じることが出来るように構成することが出来、このようなヒンジは広く利用されている。
【０００３】
又、ヒンジ等の継手を軸として旋回するドアの他に、上レールに沿ってスライドしながら回転運動して開閉動作を行うドアも知られている。例えば、特開平１１−５０７３３号に係る「スライド式開閉ドア装置」は、間口上部には上レールを設けると共に、上レールを移動する吊車にはドアパネルを吊設し、又間口片側にはコ型枠体を旋回可能に取付けし、この枠体の上下アームの先端をドアパネル上下端に連結し、ドアパネルは枠体の旋回動と共に回転しながら上レールに沿って移動することで間口を開閉する。
【０００４】
さらに、互いに連結した親ドアと子ドアを間口に装着している折戸も知られている。例えば、特開２００２−１３８７４５号に係る「折戸装置」は、ヒンジを介して回転可能に取付けた子ドアと上レールに沿ってスライドする親ドアを折畳み出来るように連結した折戸であり、所定の折畳み度を境界として自動的に開いたり閉じたりするように構成している。そこで、親ドアのスライダーが走行する上レールはある境界を境として戸先側と吊元側へ傾斜し、吊ボルトはスライダー本体を貫通し、吊ボルト上端の座金とスライダー本体の間にはコイルバネを介在している。
【０００５】
ところで、これらドアの材質は高級な木質であったり、金属製パネルであったり、さらに表面仕上げを施して外観を重視したパネルであったり、又は簡易的な構造のパネルであったり、色々な形態のドアが使用されている。高級な玄関ドアなどは、外観はもとより、重量が大きくて開閉時の重量感が感じ取られる。
【０００６】
逆に、簡易的なドアの場合、その重量が軽くて開閉操作に際して重量感を感じることが出来ず、安っぽくなって高級感が失われる。又、表面仕上げなどを施すことで製作工数がかかってコストが高いにも関わらず、開閉時の軽さが安っぽく感じ取られることもあり、特にこれが問題となる。
【特許文献１】特開平１１−５０７３３号に係る「スライド式開閉ドア装置」
【特許文献２】特開２００２−１３８７４５号に係る「折戸装置」
【発明の開示】
【発明が解決しようとする課題】
【０００７】
このように従来のドアには上記のごとき問題がある。本発明が解決しようとする課題はこの問題点であり、開閉操作時に重量感を感じ取ることが出来る開閉ドアを提供する。
【課題を解決するための手段】
【０００８】
本発明に係る開閉ドアは、その重心を回転軸から外方向へ移動する。重心が外方向へ移動することで開閉操作時の重量感が増して高級なドアとしてイメージされる。勿論、ドア自体の重量を増すことで重量感は向上するが、本発明はドアの重量が軽い場合であっても、重りを外方向へ配置することで回転時の慣性モーメントが増大して重量感が大きくなる。すなわち、製作コストが安くて軽いドアであっても、重量感が増すことで高級なドアと感じることが出来る。
【０００９】
ドアが装着された状態ではその重さを知ることは出来ず、開閉操作時の回転に伴う慣性モーメントにて感じ取るに過ぎない。そして、開閉操作時の重量感のみならず、回転時の慣性モーメントが向上することでドアはゆっくり回転すると共にその回転速度は低下しない。従って、閉じた際の重量感も得られる。そこで、本発明では特別に重りを取付ける訳であるが、しかし該重りの形態及び取付け方法は特に限定することはしない。
【００１０】
重りの材質は一般に金属材であり、例えばスチール棒を取付けることが出来る。そして、スチール棒の上下端に受け材を取付けてドアの内部に設けた収容空間に収容する。この場合、受け材の寸法が一定していれば、スチール棒の太さが変わってもガタ付くことなく取付けできる。
【発明の効果】
【００１１】
本発明のドアは重りを回転中心から離れた位置に取付けることで、開閉操作時の慣性モーメントが大きく成って重量感が向上し、閉じた際の重量感を得ることも出来る。従って、ドア自体は軽くて比較的安いものであっても、装着して開閉操作する場合には重量感が得られることで、重くて高級なドアとして感じ取ることが出来る。
【００１２】
重いドアを製作するよりも、重りを回転中心から離れて取付けることで慣性モーメントの増大には大きな効果があり、コスト的に安いドアを高級なドアとして感じ取ることが出来る。そして、重りは鉄棒や鉄製ブロック等を取付けるだけの簡単な構造でよく、例えばスチール棒の上下端に所定のサイズの受け材を取付けて構成するならば、スチール棒の太さが変わっても同じ収容空間にガタ付くことなく取付け出来る。
【実施例】
【００１３】
図１は本発明に係るドア１を示す実施例であり、縦長のパネルにて構成され、表面には開閉用の持ち手２が戸先側に取付けられている。従って、該ドア１は持ち手２を握って開閉操作されるが、開閉操作時の重量感を増すために戸先側にスチール棒３を収容している。
【００１４】
スチール棒３を取付ける前のドア１の重量はＷであり、その重心はドア１の中心である。しかし、該スチール棒３が取付けられるならば、スチール棒３の重さが加わってドア１の重量はＱとなり、重心は戸先側へ距離Ａだけ移動する。従って、スチール棒３が無い場合の慣性モーメントＩW＝Ｗ×Ｒ2となり、スチール棒３を備えることで慣性モーメントＩQ＝Ｑ×Ｌ2となる。
【００１５】
スチール棒３を取付けることなくドア１の重量を増すことで慣性モーメントは増えるが、同じ重量Ｑとした場合であれば、慣性モーメントＩ＝Ｑ×Ｒ2と成るだけであり、重心の外方向への移動は慣性モーメントの増大に大きな効果がある。すなわち、回転半径の二乗として作用する為に重心の位置を回転中心から離すことが重要である。
【００１６】
図２は重心移動に伴う効果を表している具体例であり、ドア１の重量が１５ｋｇで、重心位置は回転軸から４００ｍｍである。そしてスチール棒３の重さが３ｋｇであるならば重心の位置は１００ｍｍ移動し、ドア１としての重心は回転軸から５００ｍｍとなる。従って、スチール棒３を取付けることで慣性モーメントは約２倍となる。その結果、ドア１を開閉する際には重く感じ、又締め切った際の重量感を得ることも出来る。
【００１７】
図３はスチール棒から成る重りを示している。該スチール棒３の上端及び下端には木材又はゴム材から成る受け材４，４が取付けられ、この状態でドア１の上端に設けた開口から挿入される。図４に示すように、戸先側の上部には収容空間５が形成され、この収容空間５にスチール棒３が収容されて上端開口には蓋１８が取付けられる。
【００１８】
ここで、ドア１に設けた収容空間５にスチール棒３を直接収容しても良いが、上下端に受け材４，４を取付けることで、該スチール棒３の太さをドア１に応じて適当に変えることが出来る。すなわち、スチール棒３の太さが変化しても、受け材４，４のサイズは常に一定とすることで、収容空間５にはガタ付くことなく収容することが可能となる。
【００１９】
ところで、本発明が対象とするドアは図１に示すように片側を回転軸とした開閉ドアに限らない。折戸式ドアであっても回転スライド式ドアの場合にも適用することが可能である。図５は折戸装置の概略図を示しているが、親ドア７と子ドア６は継手を介して折畳み出来るように連結され、そして子ドア６は縦桟８に蝶番を介して取付けられ、又親ドア７は吊車９にて吊設されている。
【００２０】
従って、該折戸が折畳まれる場合には、子ドア６は蝶番を介して回転し、そして親ドア７は吊車９を中心として回転すると共に、吊車９は上レール１０に沿って移動する。従って、親ドア７の回転軸となる吊車９から離れた位置に重りと成るスチール棒３，３を取付けることが出来る。又子ドア６にも親ドア７との継手付近にスチール棒を取付けることが可能である。
【００２１】
図６は回転スライド式ドア装置であり、大きなドア１１は縦桟１３に蝶番を介して回転可能に取付けられたコ型枠体１２の上アーム１４と下アーム１５の先端に取付けられている。そして、ドア１１の上端に取着しているスライダー１７は上レール１６に遊嵌されてスライドすることが出来る。すなわち、ドア１１はスライダー１７を中心として回転しながら上レール１６に沿って移動することで開閉することが出来る。
【００２２】
そこで、ドア１１の回転軸はスライダー１７の位置であり、該スライダー１７から適当に離れた所に重りとなるスチール棒３，３を取付けることが出来る。従って、スライダー１７を中心として回転するドア１１の慣性モーメントは大きく成って、ドア１１の開閉操作に際して重量感を得ることが出来る。
【図面の簡単な説明】
【００２３】
【図１】本発明に係る開閉ドアの概略図。
【図２】重りを取付けたドアの慣性モーメントの説明図。
【図３】上下端に受け材を取付けたスチール棒。
【図４】スチール棒を収容するドア。
【図５】スチール棒を取付けた折戸。
【図６】スチール棒を取付けた回転スライド式ドア。
【符号の説明】
【００２４】
１  ドア
２  持ち手
３  スチール棒
４  受け材
５  収容空間
６  子ドア
７  親ドア
８  縦桟
９  吊車
10  上レール
11  ドア
12  コ型枠体
13  縦桟
14  上アーム
15  下アーム
16  上レール
17  スライダー
18  蓋
【図１】
2005133463.tif 000003
【図２】
2005133463.tif 000004
【図３】
2005133463.tif 000005
【図４】
2005133463.tif 000006
【図５】
2005133463.tif 000007
【図６】
2005133463.tif 000008